(57)【要約】【課題】デザイン的にも見栄えがし、かつ利便性に優れた、薬剤や板ガム等薄く細長いものを収納する回転二重構造容器の提供にある。【解決手段】内容物収納部１２、２２の開口部と蓋部１６、２６の開口部とが円弧形状の嵌合部３２で嵌合している二つの薄型直方体形状の容器１０、２０が、中心に回転軸孔３４を有する底部同士が互い違いに合わされ、該回転軸孔３４に回転軸３０が嵌合して連結され、該回転軸３０で内容物収納部１２、２２を回転させて蓋部１６、２６を開閉する回転二重構造容器１で、前記二つのうちの一方の薄型直方体形状の容器１０の蓋部１６は他方の薄型直方体形状の容器２０の底部に一体化されている回転二重構造容器１とするものである。【選択図】図２
2004331082.tif 000002
【特許請求の範囲】
【請求項１】
内容物収納部の開口部と蓋部の開口部とが円弧形状に嵌合している二つの薄型直方体形状の容器が、中心に回転軸孔を有する底部同士が互い違いに合わされ、該回転軸孔に回転軸が嵌合して連結され、該回転軸で内容物収納部を回転させて蓋部を開閉する回転二重構造容器であって、前記二つのうちの一方の薄型直方体形状の容器の蓋部は他方の薄型直方体形状の容器の底部に一体化されていることを特徴とする回転二重構造容器。
【請求項２】
内容物収納部の開口部と蓋部の開口部とが円弧形状に嵌合している二つの薄型直方体形状の容器が、底部同士が互い違いに合わされ、一方の薄型直方体形状の容器の底部中心に一体化している回転軸が他方の薄型直方体形状の容器の底部中心に有する回転軸孔に嵌合して連結され、該回転軸で内容物収納部を回転させて蓋部を開閉する回転二重構造容器であって、前記二つのうちの一方の薄型直方体形状の容器の蓋部は他方の薄型直方体形状の容器の底部に一体化されていることを特徴とする回転二重構造容器。
【請求項３】
上記内容物収納部の開口部と蓋部の開口部とが嵌合している嵌合部の円弧形状は、該円弧形状の中心点が容器中心の回転軸に対し蓋部の開栓のための回転方向にずれていることを特徴とする請求項１または２記載の回転二重構造容器。
【発明の詳細な説明】
【０００１】
【発明の属する技術分野】
本発明は、薬剤、板ガム、錠菓あるいは薄型ブリスタなど薄く細長い形状もしくはタブレット形状のものを収納する収納容器に関するものであり、さらに詳しくは、一方の容器の回転によって蓋を開閉する回転二重構造容器に関するものである。
【０００２】
【従来の技術】
従来、薬剤、板ガム、薄型ブリスタなど薄く細長い形状またはタブレット形状のものは、それに応じた薄く細長い形状の箱（紙製やプラスチック製の箱）や紙包みなどの古来の包装方法によるもので、特にデザイン的にも見栄えがせず、また、例えば板ガム等で種類の異なるものを必要とする場合では２個の包み（包装箱など）を購入しなければならないという利便性に欠け煩雑さのあるものであった。
【０００３】
【発明が解決しようとする課題】
本発明は、かかる従来の薄く細長い形状の箱や紙包みなどの問題点を解決するものであり、その課題とするところは、デザイン的にも見栄えがし、かつ利便性に優れた包装容器で、特に容器本体の回転によって蓋の蓋を同時に開閉する回転二重構造容器を提供することにある。
【０００４】
【課題を解決するための手段】
本発明に於いて上記課題を達成するために、まず請求項１の発明では、内容物収納部の開口部と蓋部の開口部とが円弧形状に嵌合している二つの薄型直方体形状の容器が、中心に回転軸孔を有する底部同士が互い違いに合わされ、該回転軸孔に回転軸が嵌合して連結され、該回転軸で内容物収納部を回転させて蓋部を開閉する回転二重構造容器であって、前記二つのうちの一方の薄型直方体形状の容器の蓋部は他方の薄型直方体形状の容器の底部に一体化されていることを特徴とする回転二重構造容器としたものである。
【０００５】
上記請求項１の発明によれば、内容物収納部と蓋部とでなる二つの薄型直方体形状の容器が、中心に回転軸孔を有する底部同士が互い違いに合わされ、該回転軸孔に回転軸が嵌合して連結されている形状の回転二重構造容器としたので、従来の薄く細長い形状の箱や紙包みなどに比べ意匠性に優れ見栄えのする容器とすることができる。
かつ回転軸で内容物収納部を回転させて蓋部を開閉する容器で、その二つのうちの一方の薄型直方体形状の容器の蓋部は他方の薄型直方体形状の容器の底部に一体化されているので、１ストロークの回転で二つの内容物収納部が同時に開放（開栓）状態とすることができ、いずれか一方の内容物収納部から所望の内容物が取り出せるようにした、利便性のある回転二重構造容器を提供できる。
【０００６】
また、請求項２の発明では、内容物収納部の開口部と蓋部の開口部とが円弧形状に嵌合している二つの薄型直方体形状の容器が、それらの底部同士が互い違いに合わされ、一方の薄型直方体形状の容器の底部中心に一体化している回転軸が他方の薄型直方体形状の容器の底部中心に有する回転軸孔に嵌合して連結され、該回転軸で内容物収納部を回転させて蓋部を開閉する回転二重構造容器であって、前記二つのうちの一方の薄型直方体形状の容器の蓋部は他方の薄型直方体形状の容器の底部に一体化されていることを特徴とする回転二重構造容器としたものである。
【０００７】
上記請求項２の発明によれば、内容物収納部と蓋部とでなる二つの薄型直方体形状の容器が、それらの底部同士が互い違いに合わされ、一方の薄型直方体形状の容器の底部中心に一体化している回転軸が他方の薄型直方体形状の容器の底部中心に有する回転軸孔に嵌合して連結されている形状の回転二重構造容器としたので、従来の薄く細長い形状の箱や紙包みなどに比べ意匠性に優れ見栄えのする容器とすることができる。
かつ一方の薄型直方体形状の容器の底部中心に一体化している回転軸で内容物収納部を回転させて蓋部を開閉する容器で、その二つのうちの一方の薄型直方体形状の容器の蓋部は他方の薄型直方体形状の容器の底部に一体化されているので、１ストロークの回転で二つの内容物収納部が同時に開放状態（開栓）とすることができ、いずれか一方の内容物収納部から所望の内容物が取り出せるようにした、利便性のある回転二重構造容器を提供できる。
【０００８】
このように回転軸を一方の薄型直方体形状の容器の底部中心に一体化で設けることによって、上記請求項１に係る発明での３個のパーツを２個のパーツに削減でき、かつこれら各パーツの組み立て工程においての回転軸に対する嵌合操作が簡便になり、よって材料コスト及び製造コスト等に有利な回転二重構造容器とすることができる。
【０００９】
さらにまた、請求項３の発明では、上記内容物収納部の開口部と蓋部の開口部とが嵌合している嵌合部の円弧形状は、該円弧形状の中心点が容器中心の回転軸に対し蓋部の開栓のための回転方向にずれていることを特徴とする請求項１または２記載の回転二重構造容器としたものである。
【００１０】
上記請求項３の発明によれば、内容物収納部の開口部と蓋部の開口部とが嵌合している接合部の円弧形状を、この円弧形状の中心点が容器中心の回転軸に対し蓋部の開栓のための回転方向にずれているような形状としたので、内容物収納部の回転に際しその蓋部に引っ掛かることがなく容易に開放（開栓）することができ、また内容物収納部の逆回転で蓋部の閉鎖（止栓）に際し、閉鎖（止栓）された状態即ち内容物収納部の開口部と蓋部の開口部がしっかり嵌合した状態で止まり、それ以上回らないようにして誤使用を防止することができる回転二重構造容器を提供できる。
【００１１】
さらにまた、内容物収納部の回転を回転方向に一回転させるとお互いの蓋部同士が干渉して止まり、この状態で両者の内容物収納部の開口部が上になるように縦置きし自立させることができ、より利便性に優れた回転二重構造容器とすることができる。
【００１２】
【発明の実施の形態】
以下本発明の実施の形態を図面を用いて詳細に説明する。
【００１３】
本発明は、薬剤、板ガム、錠菓あるいは薄型ブリスタなど薄く細長い形状またはタブレット形状のものを収納する収納容器に関するものであり、本発明の回転二重構造容器は、例えば図１の斜視図に示すように、端縁に開口部（１４）を有し、他方の端縁が閉鎖され、その底部に中心方向に開口部（図示せず）を有する角筒状の下部の蓋部（２６）が一体化されている角筒状の上部の内容物収納部（１２）と、端縁に開口部（２４）を有し、他方の端縁が閉鎖され、その底部（図面では上側）に中心方向に開口部（１５）を有する角筒状の上部の蓋部（１６）が一体化されている下部の内容物収納部（２２）とが底部同士が互い違いになるように合わされ、その中心の回転軸（３０）で連結されている形状の回転二重構造容器（１）としたもので、この上下部の蓋部（１６、２６）の開閉を上下部の内容物収納部（１２、２２）の底部中心にある回転軸（３０）で回転させて行うことができるユニークで意匠性に優れた薄く細長い形状の内容物を収納する回転二重構造容器（１）である。
【００１４】
そこで上記請求項１に係る発明は、例えば図２（ａ）の上面図および図２（ａ）のＢ−Ｂ面を表す図２（ｂ）の側断面図に示すように、上部の内容物収納部（１２）と上部の蓋部（１６）とが円弧形状に嵌合部（３２）で嵌合されている上部薄型直方体形状容器（１０）と、下部の内容物収納部（２２）と下部の蓋部（２６）とが円弧形状に嵌合部（３２）で接合されている下部薄型直方体形状容器（２０）が、中心に回転軸孔（３４）を有する底部同士が互い違いに合わされていて、これら上下部の内容物収納部（１２、２２）中心の回転軸孔（３４）に別パーツの回転軸（３０）が嵌合して連結されている回転二重構造容器（１）であって、上部の蓋部（１６）は下部薄型直方体形状容器（２０）の底部に、下部の蓋部（２６）は上部薄型直方体形状容器（１０）の底部に一体化されている回転二重構造容器（１）とするものである。
【００１５】
図２（ａ）および図２（ｂ）に示すように、上下部の蓋部（１６、２６）の底板（１６ａ、２６ａ）が、下上部薄型直方体形状容器（２０、１０）の底部端縁に一体化されているが、これら一体化は射出成形等で成されることから、例えば図３の側断面図に示すように、上下部の蓋部（１６、２６）の底板を削除した形状で下上部薄型直方体形状容器（２０、１０）の底部端縁に一体化したものとすることができる。
【００１６】
また、上記請求項２に係る発明は、例えば図４の側断面図に示すように、上部の内容物収納部（１２）と上部の蓋部（１６）とが円弧形状に嵌合部（３２）で嵌合されている上部薄型直方体形状容器（１０）と、下部の内容物収納部（２２）と下部の蓋部（２６）とが円弧形状に嵌合部（３２）で嵌合されている下部薄型直方体形状容器（２０）が、それらの底部同士が互い違いに合わされ、下部薄型直方体形状容器（２０）の底部中心に一体化している回転軸（２０ａ）が上部薄型直方体形状容器（１０）の底部中心に有する回転軸孔（３４）に嵌合して連結されている回転二重構造容器（１）であって、上部の蓋部（１６）は下部薄型直方体形状容器（２０）の端縁底部に、下部の蓋部（２６）は上部薄型直方体形状容器（１０）の端縁底部に一体化されている回転二重構造容器（１）とするものである。
【００１７】
上記請求項１および請求項２に係る発明の回転二重構造容器（１）は、図５の上面図に示すように、例えば上部の内容物収納部（１２）を下部の内容物収納部（２２）に対し反時計回りの回転方向（Ｐ）に回転軸（３０）を起点として回転すると、上部の内容物収納部（１２）の端縁の円弧形状の嵌合部（３２）でなる開口部（１４）と下部の内容物収納部（２２）の端縁の円弧形状の嵌合部（３２）でなる開口部（２４）が同時に開口して所望の内容物が取り出した後、上部の内容物収納部（１２）を時計回りに回転して元に戻すと、例えば図２（ａ）に示すように、上部の内容物収納部（１２）と上部の蓋部（１６）および下部の内容物収納部（図示せず）と下部の蓋部（２６）の円弧形状の嵌合部（３２）で嵌合され各開口部が同時に閉封される利便性と意匠性に優れた回転二重構造容器（１）である。
【００１８】
さらにまた、上記請求項３に係る発明は、例えば図５の上面図に示すように、上部の内容物収納部（１２）端縁の開口部（１４）の円弧形状の嵌合部（３２）とそれに嵌合する上部の蓋部（１６）の開口部（１５）の円弧形状の嵌合部（３２）の形状を、この円弧の中心点（Ｏ）が容器中心の回転軸（３０）に対し開栓のための回転方向（Ｐ）にずれているようにし、同様に下部の内容物収納部（２２）端縁の開口部（２４）の円弧形状の嵌合部（３２）とそれに接合する下部の蓋部（２６）の開口部（２５）の円弧形状の嵌合部（３２）の形状を、この円弧の中心点（Ｏ）が容器中心の回転軸（３０）に対し回転方向（Ｐ）にずれているようにした回転二重構造容器（１）である。
【００１９】
このように、円弧形状の中心点（Ｏ）が容器中心の回転軸（３０）に対し蓋部（１６、２６）の開栓のための回転方向（Ｐ）にずれているような形状の嵌合部（３２）とすることによって、上下部の内容物収納部（１２、２２）の回転に際しそれらの蓋部（１６、２６）に引っ掛かることがなく容易に開放（開栓）することができ、また図２（ａ）に示すように、内容物収納部（１２）の逆回転で蓋部（１６、２６）の閉封（止栓）に際し、閉封（止栓）された状態即ち上部の内容物収納部（１２）の円弧形状の嵌合部（３２）と上部の蓋部（１６）の円弧形状の嵌合部（３２）がしっかりと嵌合された状態で止まり、それ以上回らないようにして誤使用を防止することができる回転二重構造容器（１）とすることできる。
【００２０】
さらにまた、例えば図６の正面図に示すように、上部の内容物収納部（１２）の回転を回転方向（Ｐ）に一回転させると、お互いの蓋部（１６、２６）同士が干渉して回転が止まり、この止まった状態で上下部の内容物収納部（１２、２２）のそれぞれの開口部（１４、２４）が上側になるような縦置きで自立させることができ、より利便性に優れた回転二重構造容器（１）として利用することもできる。
【００２１】
上記本発明の回転二重構造容器（１）は、ポリスチレン樹脂、アクリル系樹脂、ポリプロピレン樹脂あるいはポリエチレン樹脂等熱可塑性樹脂を用いて、射出成形法で得ることができ、例えば図２（ｂ）に示すような上部の内容物収納部（１２）と下部の蓋部（２６）をこれら樹脂による射出成形で一体成形し、１パーツとすることができ、さらに下部の内容物収納部（２２）と上部の蓋部（１６）を一体成形したものと、別パーツとしての回転軸（３０）を加えこれら３パーツを組み合わせて回転二重構造容器（１）とすることができる。
【００２２】
また、例えば図４に示すような上部の内容物収納部（１２）と下部の蓋部（２６）を上記ポリスチレン樹脂等による射出成形で一体成形して１パーツとすることができ、さらに下部の内容物収納部（２２）と上部の蓋部（１６）および下部の内容物収納部（２２）の中心の回転軸（３０）とを一体成形した１パーツを加え２パーツを組み合わせて回転二重構造容器（１）とすることができる。
【００２３】
【発明の効果】
本発明は以上の構成であるから、下記に示す如き効果がある。
即ち、上記請求項１に係る発明において、内容物収納部の開口部と蓋部の開口部とが円弧形状に嵌合している二つの薄型直方体形状の容器が、中心に回転軸孔を有する底部同士が互い違いに合わされ、該回転軸孔に回転軸が嵌合して連結されている形状の回転二重構造容器としたので、従来の薄く細長い形状の箱や紙包みなどに比べ意匠性に優れ見栄えのする薄型直方体形状の容器とすることができ、かつ回転軸で内容物収納部を回転させて蓋部を開閉する容器で、その二つのうちの一方の薄型直方体形状の容器の蓋部は他方の薄型直方体形状の容器の底部に一体化されているので、１ストロークの回転で二つの内容物収納部が同時に開放（開栓）状態とすることができ、いずれか一方の内容物収納部から所望の内容物が取り出せるようにした、ユニークで利便性のある回転二重構造容器を提供できる効果がある。
【００２４】
また、上記請求項２に係る発明において、内容物収納部の開口部と蓋部の開口部とが円弧形状に嵌合している二つの薄型直方体形状の容器が、それらの底部同士が互い違いに合わされ、一方の薄型直方体形状の容器の底部中心に一体化している回転軸が他方の薄型直方体形状の容器の底部中心に有する回転軸孔に嵌合して連結されている形状の回転二重構造容器としたので、従来の薄く細長い形状の箱や紙包みなどに比べ意匠性に優れ見栄えのする薄型直方体形状の容器とすることができ、かつ一方の薄型直方体形状の容器の底部中心に一体化している回転軸で内容物収納部を回転させてその蓋部を開閉する容器で、その二つのうちの一方の薄型直方体形状の容器の蓋部は他方の薄型直方体形状の容器の底部に一体化されているので、１ストロークの回転で二つの内容物収納部が同時に開放状態（開栓）とすることができ、いずれか一方の内容物収納部から所望の内容物が取り出せるようにした、ユニークで利便性のある回転二重構造容器を提供できる効果がある。
【００２５】
さらに上記のように回転軸を一方の薄型直方体形状の容器の底部中心に一体化で設けることによって、上記請求項１に係る発明での３個のパーツを２個のパーツに削減でき、かつ回転軸での嵌合操作が容易になり製造コスト等に有利な回転二重構造容器とすることができる。
【００２６】
さらにまた、上記請求項３に係る発明においては、内容物収納部の開口部と蓋部の開口部とが嵌合している接合部の円弧形状を、この円弧形状の中心点が容器中心の回転軸に対し蓋部の開栓のための回転方向にずれているような形状としたので、内容物収納部の回転に際しその蓋部に引っ掛かることがなく容易に開放（開栓）することができ、また内容物収納部の逆回転で蓋部の閉鎖（止栓）に際し、閉鎖（止栓）された状態即ち内容物収納部の開口部と蓋部の開口部がしっかり嵌合した状態で止まり、それ以上回らないようにして誤使用を防止することができる回転二重構造容器を提供できる効果がある。
【００２７】
また、内容物収納部の回転を回転方向に一回転させると、お互いの蓋部同士が干渉して止まり、この状態で両者の内容物収納部の開口部が上側になるように縦置きし自立させることができ、より利便性に優れた回転二重構造容器とすることができる。
【００２８】
従って本発明は、薬剤、板ガム、錠菓あるいは薄型ブリスタなど薄く細長い形状またはタブレット形状のものを収納する収納容器で、意匠性と利便性に優れた回転二重構造容器として、優れた実用上の効果を発揮する。
【図面の簡単な説明】
【図１】本発明の回転二重構造容器の一実施の形態を示すしゃしずある。
【図２】本発明の回転二重構造容器の一事例を示すもので、
（ａ）は、その上面図であり、
（ｂ）は、（ａ）のＢ−Ｂ断面図である。
【図３】本発明の回転二重構造容器の他の一事例を側断面で表した説明図である。
【図４】本発明の回転二重構造容器の他の一事例を側断面で表した説明図である。
【図５】本発明の回転二重構造容器の開放（開栓）状態の一事例を上面で表した説明図である。
【図６】本発明の回転二重構造容器の開放（開栓）状態の他の一事例を正面で表した説明図である。
【符号の説明】
１‥‥回転二重構造容器
１０‥‥上部薄型直方体形状容器
１２‥‥上部の内容物収納部
１４‥‥上部の内容物収納部の開口部
１５‥‥上部の蓋部の開口部
１６‥‥上部の蓋部
１６ａ‥‥上部の蓋部の底板
２０‥‥下部薄型直方体形状容器
２０ａ‥‥下部の内容物収納部の底部中心に一体化された回転軸
２２‥‥下部の内容物収納部
２４‥‥下部の内容物収納部の開口部
２５‥‥下部の蓋部の開口部
２６‥‥下部の蓋部
２６ａ‥‥下部の蓋部の底板
３０‥‥回転軸
３２‥‥円弧形状の嵌合部
３４‥‥回転軸孔
Ｏ‥‥円弧形状の中心点
Ｐ‥‥回転方向
【図１】
2004331082.tif 000003
【図２】
2004331082.tif 000004
【図３】
2004331082.tif 000005
【図４】
2004331082.tif 000006
【図５】
2004331082.tif 000007
【図６】
2004331082.tif 000008